(57)【要約】      （修正有）【課題】プーリの位置とモータの位置とを容易に調整することができるエレベーターの扉駆動用ベルトの調整装置を提供する。【解決手段】エレベーターの扉駆動用ベルトの調整装置は、鎖歯車３とプーリ４とモータ５とが順々に並び、鎖歯車３に巻き掛けられた鎖にエレベーターの扉パネルとオモリとが連結され、第１ベルト７が鎖歯車３の回転体とプーリ４の一側の回転体とに巻き掛けられ、第２ベルト８がプーリ４の他側の回転体とモータ５の回転体とに巻き掛けられている際に、鎖歯車３の軸の支持部とプーリ４の軸の支持部との間において水平方向に伸縮自在に設けられたプーリ位置調整部１２と、鎖歯車３の軸の支持部とモータ５の外郭との間において水平方向に伸縮自在に設けられたモータ位置調整部１３と、を備えた。【選択図】図４
2019123572.tif 000002
【特許請求の範囲】
【請求項１】
鎖歯車とプーリとモータとが順々に並び、前記鎖歯車に巻き掛けられた鎖にエレベーターの扉パネルとオモリとが連結され、第１ベルトが前記鎖歯車の回転体と前記プーリの一側の回転体とに巻き掛けられ、第２ベルトが前記プーリの他側の回転体と前記モータの回転体とに巻き掛けられている際に、前記鎖歯車の軸の支持部と前記プーリの軸の支持部との間において水平方向に伸縮自在に設けられたプーリ位置調整部と、
前記鎖歯車の軸の支持部と前記モータの外郭との間において水平方向に伸縮自在に設けられたモータ位置調整部と、
を備えたエレベーターの扉駆動用ベルトの調整装置。
【請求項２】
請求項１の調整装置のプーリ位置調整部の水平方向の長さを調整することにより前記プーリの軸の支持部の位置を前記第１ベルトが張る状態となる位置に調整するプーリ位置調整工程と、
前記プーリ位置調整工程の後、前記プーリの軸の支持部を固定するプーリ固定工程と、
前記プーリ固定工程の後、請求項１の調整装置のモータ位置調整部の水平方向の長さを調整することにより前記モータの外郭の位置を前記第２ベルトが張る状態となる位置に調整するモータ位置調整工程と、
前記モータ位置調整工程の後、前記モータの外郭を固定するモータ固定工程と、
を備えたエレベーターの扉駆動用ベルトの調整方法。
【発明の詳細な説明】
【技術分野】
【０００１】
この発明は、エレベーターの扉駆動用ベルトの調整装置および調整方法に関する。
【背景技術】
【０００２】
特許文献１は、立体駐車場を開示する。当該立体駐車場によれば、利用者の待ち時間を短縮し得る。
【先行技術文献】
【特許文献】
【０００３】
【特許文献１】特開２０１５−０４５１７６号公報
【発明の概要】
【発明が解決しようとする課題】
【０００４】
立体駐車場においては、エレベーターが利用される。当該エレベーターの出入口には、扉装置が設けられる。
【０００５】
当該扉装置において、鎖歯車とプーリとモータとは、順々に並ぶ。鎖は、鎖歯車に巻き掛けられる。扉パネルとオモリとは、鎖に連結される。第１ベルトは、鎖歯車の回転体とプーリの一側の回転体とに巻き掛けられる。第２ベルトは、プーリの他側の回転体とモータの回転体とに巻き掛けられる。
【０００６】
この際、第１ベルトと第２ベルトの張力を適切に設定するためには、プーリの位置とモータの位置とを適切に調整する必要がある。
【０００７】
この発明は、上述の課題を解決するためになされた。この発明の目的は、プーリの位置とモータの位置とを容易に調整することができるエレベーターの扉駆動用ベルトの調整装置および調整方法を提供することである。
【課題を解決するための手段】
【０００８】
この発明に係るエレベーターの扉駆動用ベルトの調整装置は、鎖歯車とプーリとモータとが順々に並び、前記鎖歯車に巻き掛けられた鎖にエレベーターの扉パネルとオモリとが連結され、第１ベルトが前記鎖歯車の回転体と前記プーリの一側の回転体とに巻き掛けられ、第２ベルトが前記プーリの他側の回転体と前記モータの回転体とに巻き掛けられている際に、前記鎖歯車の軸の支持部と前記プーリの軸の支持部との間において水平方向に伸縮自在に設けられたプーリ位置調整部と、前記鎖歯車の軸の支持部と前記モータの外郭との間において水平方向に伸縮自在に設けられたモータ位置調整部と、を備えた。
【０００９】
この発明に係るエレベーターの扉駆動用ベルトの調整方法は、前記調整装置１０のプーリ位置調整部の水平方向の長さを調整することにより前記プーリの軸の支持部の位置を前記第１ベルトが張る状態となる位置に調整するプーリ位置調整工程と、前記プーリ位置調整工程の後、前記プーリの軸の支持部を固定するプーリ固定工程と、前記プーリ固定工程の後、請求項１の調整装置のモータ位置調整部の水平方向の長さを調整することにより前記モータの外郭の位置を前記第２ベルトが張る状態となる位置に調整するモータ位置調整工程と、前記モータ位置調整工程の後、前記モータの外郭を固定するモータ固定工程と、を備えた。
【発明の効果】
【００１０】
これらの発明によれば、このため、プーリの位置とモータの位置とを容易に調整することができる。
【図面の簡単な説明】
【００１１】
【図１】実施の形態１におけるエレベーターの扉駆動用ベルトの調整装置が適用されるエレベーターの扉装置の構成図である。
【図２】実施の形態１におけるエレベーターの扉駆動用ベルトの調整装置が適用されるエレベーターの扉装置の要部の正面図である。
【図３】実施の形態１におけるエレベーターの扉駆動用ベルトの調整装置が適用されるエレベーターの扉装置の要部の平面図である。
【図４】実施の形態１におけるエレベーターの扉駆動用ベルトの調整装置１０が適用されるエレベーターの扉装置の要部の正面図である。
【発明を実施するための形態】
【００１２】
この発明を実施するための形態について添付の図面に従って説明する。なお、各図中、同一または相当する部分には同一の符号が付される。当該部分の重複説明は適宜に簡略化ないし省略される。
【００１３】
実施の形態１．
図１は実施の形態１におけるエレベーターの扉駆動用ベルトの調整装置が適用されるエレベーターの扉装置の構成図である。図２は実施の形態１におけるエレベーターの扉駆動用ベルトの調整装置が適用されるエレベーターの扉装置の要部の正面図である。図３は実施の形態１におけるエレベーターの扉駆動用ベルトの調整装置が適用されるエレベーターの扉装置の要部の平面図である。
【００１４】
図１等において、一対の扉パネル１は、立体駐車場等のエレベーターの出入口に設けられる。一対の扉パネル１は、鉛直方向に移動自在に設けられる。オモリ２は、一対の扉パネル１の一側において立体駐車場等の出入口の外側に設けられる。オモリ２は、鉛直方向に移動自在に設けられる。
【００１５】
立体駐車場等の出入口の直上において、鎖歯車３とプーリ４とモータ５とは、順々に並ぶ。
【００１６】
具体的には、鎖歯車３は、立体駐車場等のエレベーターの出入口の一側の直上に設けられる。プーリ４は、鎖歯車３よりも立体駐車場等のエレベーターの出入口の水平方向の中央側において鎖歯車３に隣接する。モータ５は、プーリ４よりも立体駐車場等のエレベーターの出入口の水平方向の中央側においてプーリ４に隣接する。
【００１７】
鎖６は、鎖歯車３に巻き掛けられる。鎖６の一側は、扉パネル１に連結される。鎖６の他側は、オモリ２に連結される。例えば、第１ベルト７は、Ｖベルトである。第１ベルト７は、鎖歯車３と同軸の回転体とプーリ４の一側の回転体とに巻き掛けられる。例えば、第２ベルト８は、Ｖベルトである。第２ベルト８は、プーリ４の他側の回転体とモータ５の回転体とに巻き掛けられる。
【００１８】
モータ５が回転すると、第２ベルト８が移動する。第２ベルト８が移動すると、プーリ４が回転する。プーリ４が回転すると、第１ベルト７が移動する。第１ベルト７が移動すると、鎖歯車３が移動する。鎖歯車３が移動すると、一対の扉パネル１とオモリ２とが反対方向に昇降する。その結果、立体駐車場等の出入口が開閉する。
【００１９】
図３に示されるように、鎖歯車３の軸の支持部は、強固に固定される。プーリ４の軸の支持部は、着脱自在に固定される。例えば、プーリ４の軸の支持部は、４本のボルト９により着脱自在に固定される。モータ５の支持部は、着脱自在に固定される。例えば、モータ５の支持部は、４本のボルト９により着脱自在に固定される。
【００２０】
次に、図４を用いて、プーリ４の位置とモータ５の位置との調整方法を説明する。
図４は実施の形態１におけるエレベーターの扉駆動用ベルトの調整装置１０が適用されるエレベーターの扉装置の要部の正面図である。
【００２１】
図４に示されるように、プーリ４の位置とモータ５の位置との調整時において、作業員は、調整装置１０を利用する。
【００２２】
調整装置１０は、基部１１とプーリ位置調整部１２とモータ位置調整部１３とを備える。
【００２３】
基部１１は、Ｌ状に形成される。例えば、基部１１の下部は、基部１１の上部が鎖歯車３の軸の支持部に接触した状態でボルト１４により固定され得るように設けられる。
【００２４】
プーリ位置調整部１２は、基部１１の中央部においてプーリ４の側に固定される。プーリ位置調整部１２は、鎖歯車３の軸の支持部とプーリ４の軸の支持部との間において水平方向に伸縮自在に設けられる。例えば、プーリ位置調整部１２の伸縮部は、ターンバックルで形成される。例えば、プーリ位置調整部１２の先端部は、プーリ４の軸の支持部を受け入れるように溝状に形成される。
【００２５】
モータ位置調整部１３は、基部１１の上部においてモータ５の側に固定される。モータ位置調整部１３は、鎖歯車３の軸の支持部とモータ５の外郭との間において水平方向に伸縮自在に設けられる。例えば、モータ位置調整部１３の伸縮部は、ターンバックルで形成される。例えば、モータ位置調整部１３の先端部は、モータ５の外郭の平面と安定して接触するように平面状に形成される。
【００２６】
まず、作業員は、調整装置１０の基部１１の上部を鎖歯車３の軸の支持部に接触させた状態で調整装置１０の基部１１の下部を固定する。
【００２７】
その後、作業員は、調整装置１０のプーリ位置調整部１２の水平方向の長さを調整することによりプーリ４の軸の支持部の位置を第１ベルト７が張る状態となる位置に調整する。
【００２８】
その後、作業員は、プーリ４の軸の支持部を固定する。
【００２９】
その後、作業員は、調整装置１０のモータ位置調整部１３の水平方向の長さを調整することによりモータ５の外郭の位置を前記第２ベルト８が張る状態となる位置に調整する。
【００３０】
その後、作業員は、モータ５の外郭を固定する。
【００３１】
その結果、第１ベルト７と第２ベルト８とが張った状態において、プーリ４とモータ５とが固定される。
【００３２】
以上で説明した実施の形態１によれば、調整装置１０において、プーリ位置調整部１２は、鎖歯車３の軸の支持部とプーリ４の軸の支持部との間において水平方向に伸縮する。モータ位置調整部１３は、鎖歯車３の軸の支持部とモータ５の外郭との間において水平方向に伸縮する。このため、プーリ４の位置とモータ５の位置とを容易に同時に調整することができる。その結果、プーリ４の位置とモータ５の位置との調整のための作業時間を大幅に短縮することができる。
【００３３】
なお、鎖歯車３とプーリ４とモータ５と第１ベルト７と第２ベルト８との関係が実施の形態１と同様である扉装置であれば、実施の形態１の調整装置１０を用いることができる。この場合も、プーリ４の位置とモータ５の位置とを容易に同時に調整することができる。その結果、プーリ４の位置とモータ５の位置との調整のための作業時間を大幅に短縮することができる。
【符号の説明】
【００３４】
１  扉パネル、  ２  オモリ、  ３  鎖歯車、  ４  プーリ、  ５  モータ、  ６  鎖、  ７  第１ベルト、  ８  第２ベルト、  ９  ボルト、  １０  調整装置、  １１  基部、  １２  プーリ位置調整部、  １３  モータ位置調整部、  １４  ボルト
【図１】
2019123572.tif 000003
【図２】
2019123572.tif 000004
【図３】
2019123572.tif 000005
【図４】
2019123572.tif 000006